(57)【特許請求の範囲】
【請求項１】
遊技機用演出部材と回動部材を設けた装着基板との間に伸縮機構を介在してなる遊技機用演出部材の可動機構であって、
前記伸縮機構はリンクを一対ずつＸ字状に交差させて各交差部を枢着すると共に両リンクの端部同士を枢着して全体に自在に伸縮するように形成され、前記伸縮機構の各一対のリンクの交差部と先端に位置する一対のリンクの両先端部とにそれぞれボスが設けられ、前記遊技機用演出部材の所定位置には縦長孔と該縦長孔の長手方向を挟んだ両側にそれぞれ位置する横長孔とが開設され、
前記伸縮機構の基端に位置する一対のリンクのうち、少なくとも一方のリンクの自由端部を前記装着基板の回動部材に遊嵌状に連結し、前記遊技機用演出部材の所定位置の縦長孔に前記各一対のリンクの交差部に設けられたボスを遊嵌すると共に前記遊技機用演出部材の所定位置の両横長孔に前記先端に位置する一対のリンクの両先端部に設けられたボスをそれぞれ遊嵌し、
前記回動部材が回動すると、前記遊技機用演出部材が円弧運動と直線運動の混ざった動作をするようにしたことを特徴とする遊技機用演出部材の可動機構。
【請求項２】
前記遊技機用演出部材と前記伸縮機構との間に該遊技機用演出部材を該伸縮機構が収縮する方向へ付勢する引っ張りスプリングを張設した請求項１記載の遊技機用演出部材の可動機構。
【発明の詳細な説明】
【技術分野】
【０００１】
本発明は、パチンコ遊技機、アレンジボール機などの遊技機に用いられる遊技機用演出部材の可動機構に関するものである。
【背景技術】
【０００２】
従来、例えば遊技機の一種であるパチンコ遊技機にあっては、遊技盤の中央に文字や数字等の図柄を変動表示する変動表示装置を配設し、該変動表示装置の停止したときの図柄が特定の図柄（例えば「７７７」）に揃ったとき、所謂「大当り」という遊技者に有利な特別遊技状態になり、一度に多くの賞球が得られるようにしたものが好評を博している。ところが、変動表示のみでは飽き足らず、該変動表示装置の所望位置に、遊技の内容に合わせてその場面に溶け込むようにして動作する遊技機用演出部材を設けるようにし、遊技の興趣を更に高めようとする努力がなされている（例えば、特許文献１参照。）。特に、大当り状態のときにその状態をいかに演出するかが、遊技の興趣を高める上で重要なポイントになっている。
【０００３】
【特許文献１】特開２００１−３８００５号公報（第２−４頁、図３、図５）
【発明の開示】
【発明が解決しようとする課題】
【０００４】
しかしながら、前記特許文献１に係る遊技機用演出部材は、一側で鉛直に軸着され遊技の進行に伴い水平面内で往復円弧運動を繰り返すにすぎず、その動作・軌跡が単調・単純であって、折角、遊技機用演出部材を配置してもその動作では遊技の興趣を高めるに物足りなさが有った。その動作に遊技者を驚かせるような要素があれば好ましい。
【０００５】
そこで、本発明は上記課題を解決すべくなされたもので、遊技機用演出部材が遊技者に斬新な印象を与えるような動作を行い遊技の興趣を十分に高められるようにした遊技機用演出部材の可動機構を提供することを目的とするものである。
【課題を解決するための手段】
【０００６】
かかる目的を達成するため本発明の遊技機用演出部材の可動機構は、遊技機用演出部材と回動部材を設けた装着基板との間に伸縮機構を介在してなる遊技機用演出部材の可動機構であって、前記伸縮機構はリンクを一対ずつＸ字状に交差させて各交差部を枢着すると共に両リンクの端部同士を枢着して全体に自在に伸縮するように形成され、前記伸縮機構の各一対のリンクの交差部と先端に位置する一対のリンクの両先端部とにそれぞれボスが設けられ、前記遊技機用演出部材の所定位置には縦長孔と該縦長孔の長手方向を挟んだ両側にそれぞれ位置する横長孔とが開設され、前記伸縮機構の基端に位置する一対のリンクのうち、少なくとも一方のリンクの自由端部を前記装着基板の回動部材に遊嵌状に連結し、前記遊技機用演出部材の所定位置の縦長孔に前記各一対のリンクの交差部に設けられたボスを遊嵌すると共に前記遊技機用演出部材の所定位置の両横長孔に前記先端に位置する一対のリンクの両先端部に設けられたボスをそれぞれ遊嵌し、前記回動部材が回動すると、前記遊技機用演出部材が円弧運動と直線運動の混ざった動作をするようにしたことを特徴とする。伸縮機構の基端に位置する一対のリンクのうち、一方のリンクの自由端部が回動部材に遊嵌状に連結され、他方のリンクの自由端部が装着基板に軸着される構成、または両リンクの自由端部が共に回動部材に遊嵌状に連結される構成のいずれかが採られる。この場合は、回動部材を２個使用する。
また、この際、前記遊技機用演出部材と前記伸縮機構との間に該遊技機用演出部材を該伸縮機構が収縮する方向へ付勢する引っ張りスプリングを張設することが好ましい。
【発明の効果】
【０００７】
本発明に係る遊技機用演出部材の可動機構は、遊技機用演出部材と、該遊技機用演出部材が取着されかつリンクを一対ずつＸ字状に交差させて各交差部を枢着すると共に両リンクの端部同士を枢着して全体に自在に伸縮する伸縮機構と、板面に平行な面内で自在に回動する回動部材が設けられると共に前記伸縮機構が回動自在に装着される装着基板とからなり、前記伸縮機構の基端に位置する一対のリンクの内、少なくとも一方のリンクの自由端部を回動部材に遊嵌状に連結してなる。そこで、前記回動部材を自在に回動させることにより、前記遊技機用演出部材が装着基板に沿って円弧運動と直線運動との混ざった複雑な動作をし、該遊技機用演出部材の動作が遊技者に斬新な印象を与える。これにより、大当り状態のときなどに遊技機用演出部材の動作が遊技者にわくわく感を抱かさせると共に気持を高揚させ、遊技の興趣が格段に向上するという効果がある。
【発明を実施するための最良の形態】
【０００８】
以下、本発明に係る遊技機用演出部材の可動機構の実施の形態を図面に基づき詳しく説明する。本発明は、パチンコ遊技機、アレンジボール機、雀球機、パチスロ機、パロット（登録商標）機等の遊技機に適用されるが、この内、本発明はパチンコ遊技機に適用される場合について説明する。なお、前記パロット機とは、遊技球であるパチンコ球を遊技媒体としてパチスロ機の遊技が可能な遊技機である。
【０００９】
図１は本発明が適用されるパチンコ遊技機の正面図である。該パチンコ遊技機Ｐは縦長長方形状の機枠１を有し、該機枠１の前側に本体枠（図示せず。）が装着され、該本体枠に遊技盤２が配設される。また、本体枠の前面に、前記遊技盤２の前面を覆いかつ該遊技盤２の前面が前側から見られるように透明板３で覆った透窓４を有する透明板保持枠５が開閉自在に装着されている。該透明板保持枠５の下方に遊技盤２の下部前面を覆う前板６が開閉自在に装着され、該前板６の前面に打球発射位置（図示せず。）に供給される遊技球を貯留するための球受皿７が設けられている。該球受皿７の一側に、前記打球発射位置に供給される遊技球の打球力を調整する打球力調整ハンドル８が取着される。
【００１０】
遊技盤２面に、図２に示すように内側・外側のガイドレール９ａ，９ｂが略渦巻き状に敷設され、該内側・外側のガイドレール９ａ，９ｂにより囲われるようにして遊技部２ａが形成される。該遊技部２ａには、その上半部の一側に寄せて大型の変動表示装置１０が配置されている。また、その下方に一対の開閉翼片１１，１１を有する始動入賞口１２が配置され、更に、その下方に前側へ自在に開閉する開閉扉１３を有する大型の入賞装置１４が配置されている。１５は、内側のガイドレール９ａの内側に沿って配置されるレール飾り、１６は、遊技部２ａに打ち込まれた遊技球であっていずれの入賞口にも入賞しなかった遊技球をアウト球として遊技盤２の外側へ排出するためのアウト球口である。
【００１１】
前記変動表示装置１０は、遊技盤２面に取り付けられる取付基板１７を備える。該取付基板１７にディスプレイ１８の前面が臨む窓口１９が開設され、取付基板１７の前側に窓口１９を囲うように飾り枠２０が一体に設けられる。そして、該飾り枠２０の後側の一側と上側に、それぞれ本発明に係る遊技機用演出部材の可動機構Ａが配置される。
【００１２】
そこで、遊技部２ａに打ち込まれた遊技球が始動入賞口１２に入賞すると、変動表示装置１０のディスプレイ１８に表示される数字、記号等の図柄が変動を開始し、一定時間経過後に停止する。このとき、停止した図柄が例えば「７７７」といった特定の図柄に揃うと、所謂「大当り」という遊技者に有利な特別遊技状態になる。この状態になると、大型の入賞装置１４の開閉扉１３が前方へ回動し、例えば遊技球が１０個入賞するまで、または３０秒間の間開く。更に、これを１ラウンドとして一定の条件が継続される限り最大限１６ラウンドまで繰り返され、一度に多くの賞球が得られるようになっている。
【００１３】
そして、このような状況下で、前記ディスプレイ１８に表示される遊技内容と合わせ、可動機構Ａにより後記する遊技機用演出部材２１が動作し演出して遊技者に面白みや驚きを与え、これにより遊技の興趣を高めるようにしている。
【００１４】
次に、本発明に係る遊技機用演出部材の可動機構Ａについて説明する。前記飾り枠２０における一側と上側の各可動機構Ａは共に同じ構成からなるので、便宜上一側の可動機構Ａについて説明する。図３は図２のＸ−Ｘ線断面図、図４は可動機構の分解斜視図である。該可動機構Ａは、所望の図柄（この場合、雲に模した図柄）を前面に描出した遊技機用演出部材２１と、該遊技機用演出部材２１が取着される伸縮機構２２と、該伸縮機構２２と連関し該伸縮機構２２を円弧状に往復運動及び直線的な進退運動を行なわせる回動部材２３と、から構成される。
【００１５】
前記遊技機用演出部材２１は、その裏側に略長方形状の支持板２４が配置される。該支持板２４には図７、図８に示すようにその短手方向の中央にその長手方向に沿って縦長孔２５ａと該縦長孔２５ａよりも短い縦長孔２５ｂが開設され、長手方向の一側にその両側に寄せて前記縦長孔２５ａ，２５ｂと直交する横長孔２６，２６が開設されている。また、支持板２４の前面における縦長孔２５ａ，２５ｂの延長線上であって前記短い縦長孔２５ｂ側の端縁に、先端に鍔付き螺子２７を螺着したボス２８が突設されている。図示は省略するが、遊技機用演出部材２１は支持板２４に例えばネジ止めまたは接着により固着されることになる。
【００１６】
前記伸縮機構２２は、細長いリンク２９，３０を一対ずつ（この場合、２対）交差させ各交差部を枢着３１すると共に両リンク２９，３０の端部同士を枢着３２して全体に自在に伸縮するものであって、いわゆる「パンタグラフ機構」とも言われている。そして、該伸縮機構２２が、前記支持板２４の後側に配置される。そして、先端側の一対のリンク２９，３０における各先端にボス３３が突設されると共に、前側に位置するリンク２９の交差部にもボス３３が突設される。この内、先端の両ボス３３，３３が支持板２４における両横長孔２６，２６に遊嵌され、交差部のボス３３は短い縦長孔２５ｂに遊嵌されている。また、支持板２４の短い縦長孔２５ｂ側に設けられたボス２８と、伸縮機構２２の先端側一対のリンク２９，３０の交差部に設けられたボス３３との間に、引っ張りスプリング３７が張設されている。
【００１７】
一方、前記伸縮機構２２の基端側の一対のリンク２９，３０における前側に位置するリンク２９の基端部は、装着基板３４に回動自在の軸着３５される。これに対し、後側に位置するリンク３０の基端部は、自由端であって連結長孔３６が開設される。該連結長孔３６には、後記する従動歯車２３の突起３８が遊嵌される。この場合、逆に、リンク３０の基端部に後側に突出する突起３８を設け、従動歯車２３のアーム２３ａに該突起３８が遊嵌する連結長孔３６を設けるようにしても良い。また、前側のリンク２９の交差部にボス３３が突設され、該ボス３３が支持板２４の縦長孔２５ａに遊嵌されている。前記各ボス３３には、それぞれ鍔付ネジ３９が螺着されている。各鍔付き螺子３９は縦長孔２５ａ，２５ｂや横長孔２６の孔幅よりも大径に成形されており、これは各ボス３３がこれら縦長孔２５ａ，２５ｂや横長孔２６から抜け出ないようにするためである。
【００１８】
図７、図９に示すように伸縮機構２２が取り付けられる装着基板３４には、該装着基板３４の前側に位置して回動部材として従動歯車２３がその板面に平行な面内で自在に回動するように軸着されている。該従動歯車２３の外周一側にはアーム２３ａが突設され、該アーム２３ａ先端に前記基端側に配置された一対のリンク２９，３０の内の後側のリンク３０の基端部に設けられた連結長孔３６に遊嵌する突起３８が設けられている。該突起３８は、従動歯車２３の外周縁よりも外側へ突出している。また、従動歯車２３と同じ前側であって装着基板３４に、該従動歯車２３と噛合する駆動歯車４０が配置される。該駆動歯車４０は、基板３４の後側に設けられた減速機付きの駆動モータ４１の駆動軸４１ａに軸着される。
【００１９】
図３に示すように前記変動表示装置１０における飾り枠２０の後側であって、可動機構Ａが配置される位置に、後方へ突出する２本のボス４２，４２が設けられている。そこで、装着基板３４を飾り枠２０の後側に配置すると共に２個の螺子挿通孔４３，４３を前記ボス４２の後端に合致させ、その後側から該螺子挿通孔４３，４３を介して螺子４４をそれぞれボス４２後端の螺子孔４５に螺締することにより装着基板３４が固着される。この際、遊技機用演出部材２１は、飾り枠２０の後側に隠れて遊技者からは見えないようになっている。
【００２０】
本発明に係る遊技機用演出部材の可動機構Ａは上記構成からなり、次に作用について説明する。常態では、図５に示すように遊技機用演出部材２１が、変動表示装置１０における飾り枠２０の後側に隠れている。この状態で、例えば、遊技の途中で駆動モータ４１が駆動すると、駆動歯車４０が図６矢印方向に回動し、これに伴い従動歯車２３が同図矢印方向へ回動する。同時に、該従動歯車２３に突設されたアーム２３ａ先端の突起３８も併せ同方向へ回動する。これにより、伸縮機構２２の基端側における後側のリンク３０の自由端が窓口１９側へ移動し、これに伴い伸縮機構２２がその基端側における前側のリンク２９の固定端である軸着部３５を中心として回動する。すなわち、図６に示すように遊技機用演出部材２１が、飾り枠２０の縁から円弧状に運動して姿を覗かせる。
【００２１】
前記状態から従動歯車２３が更に進んで図７に示すように回動すると、今度は後端側の一方のリンク２９の軸着部３５と従動歯車２３の突起３８との間隔が狭められる。これに伴い、両一対のリンク２９，３０が、僅かに円弧運動をしながら窓口１９の中央側へ直線運動して停止する。また、停止した遊技機用演出部材２１は、駆動モータ４１が逆方向へ回動することにより前記突出した軌跡を辿ってそのまま逆方向へ戻る。この際、前記引っ張りスプリング３７が作用して、遊技機用演出部材２１すなわち支持板２４を伸縮機構２２に対して収縮する方向へ付勢する。よって、その動作が円滑になるばかりか、特に遊技機用演出部材２１が下方へ突出する場合にその収縮時の駆動モータ４１への負荷が軽減される。
【００２２】
このように、伸縮機構２２の基端に位置する一対のリンク２９，３０の内、前側のリンク２９の自由端部を装着基板３４に軸着し、後側のリンク３０の自由端部を回動部材２３に遊嵌状に連結してなるので、該回動部材２３を正方向に回動させることにより、前記遊技機用演出部材２１が装着基板３４に沿って円弧運動から直線運動へと変化してこれらが混ざった複雑な動きをし、該遊技機用演出部材２１の動作が遊技者に斬新な印象を与える。これにより、大当り状態のときなどに遊技機用演出部材２１の動作が遊技者にわくわく感を抱かせると共に気持を高揚させ、遊技の興趣が格段に向上する。
【００２３】
前記飾り枠２０における上側の可動機構Ａも前記と同じ動作をして遊技者を楽しませ、遊技の興趣を高める。該可動機構Ａは、変動表置装置１０の飾り枠２０の後側に配置するようにしたが、他に透明板保持枠５の後側に配置するようにしても良い。この場合は、遊技機用演出部材の可動機構Ａが作動すると、遊技機用演出部材２１が透窓４に出没することになる。
【００２４】
また、近年、変動表示装置が大型化しており、該変動表示装置の周囲はスペース的に狭く、その周囲に可動物を配置するに苦慮しているのが現状であるが、本発明は、可動物の大きさに対する動作範囲が非常に広く、省スペースの配置にも適している。
【００２５】
図１０乃至図１１は、他の実施の形態に係る遊技機用演出部材の可動機構Ａ１を示すものである。なお、全体の構成は前記本発明に係る遊技機用演出部材の可動機構Ａとほとんど同じなので、同一部位は同一符号を附すことにより詳しい説明は割愛する。
【００２６】
すなわち、この実施の形態に係る遊技機用演出部材の可動機構Ａ１は、装飾基板３４の前側に該装飾基板３４と平行に配置される第二装飾基板４６が設けられる。該第二装飾基板４６の後面に、回動部材である第二従動歯車４７と、噛合して該第二従動歯車４７を駆動させる第二駆動歯車４８と、が対向位置して設けられている。第二従動歯車４７の突起４９は後方に突設される。また、第二装飾基板４６の前面に第二駆動モータ５０が設けられ、該第二駆動モータ５０の駆動軸５０ａに第二駆動歯車４８が固着されることになる。
【００２７】
一方、伸縮機構２２の基端側の一対のリンク２９，３０における前側に位置するリンク２９の基端部に、前記第二従動歯車４７の突起４９が遊嵌する連結長孔５１が開設されている。また、前記装飾基板３４の前面の所定位置に前方へ突出する二本の保持杆５２，５２が設けられ、第二装飾基板４６には該各保持杆５２と対向位置して螺子挿通孔５３が開設される。そして、各螺子挿通孔５３を介して各保持杆５２前端の螺子孔５４に螺子５５を螺締することにより、第二装飾基板４６が装飾基板３４に固着される。このとき、第二従動歯車４７の突起４９が前側のリンク２９の連結長孔５１に遊嵌する。
【００２８】
他の実施の形態に係る遊技機用演出部材の可動機構Ａ１は上記構成からなり、この場合は、基端側の一対のリンク２９，３０における前側に位置するリンク２９の基端部も可動するので、例えば駆動モータ４１に対し第二駆動モータ５０の回転速度を変えることで円弧運動及び直線運動の混ざった更に複雑な動作を行なうようになり、該遊技機用演出部材２１の動作が遊技者に斬新な印象を与える。これにより、大当り状態のときなどに遊技機用演出部材２１の動作が遊技者にわくわく感を抱かさせると共に気持を高揚させ、遊技の興趣が格段に向上する。
【００２９】
本発明にあっては、回動部材として従動歯車２３を選択したが、該回動部材を例えば自在に回動するレバーとし、その軸にステッピングモータ、ロータリーソレノイドを直結するようにしても良い。または、該回動部材をレバーとし、該レバーをソレノイドにより往復円弧運動させるようにしても良い。
【図面の簡単な説明】
【００３０】
【図１】本発明が適用されるパチンコ遊技機の正面図。
【図２】遊技盤の正面図。
【図３】図２のＸ−Ｘ線拡大断面図。
【図４】可動機構の分解斜視図。
【図５】作用を示す可動機構の正面図。
【図６】作用を示す可動機構の正面図。
【図７】作用を示す可動部材の正面図。
【図８】図７のＹ−Ｙ線拡大断面図。
【図９】図７のＺ−Ｚ線拡大断面図。
【図１０】他の実施の形態に係る可動機構の使用状態を示す平面図。
【図１１】同可動機構の分解斜視図。
【符号の説明】
【００３１】
２１            遊技機用演出部材
２２            伸縮機構
２３            回動部材（従動歯車）
２９            リンク
３０            リンク
３１            枢着
３２            枢着
３４            装着基板
Ａ              遊技機用演出部材の可動機構
【図１】
0005385552.tif 000002
【図２】
0005385552.tif 000003
【図３】
0005385552.tif 000004
【図４】
0005385552.tif 000005
【図５】
0005385552.tif 000006
【図６】
0005385552.tif 000007
【図７】
0005385552.tif 000008
【図８】
0005385552.tif 000009
【図９】
0005385552.tif 000010
【図１０】
0005385552.tif 000011
【図１１】
0005385552.tif 000012